(57)【要約】      （修正有）【課題】高温高圧の流体を流すための三重偏心バタフライ弁にアクチュエータを付設した場合、アクチュエータがバタフライ弁からの熱を受けて潤滑不良を起こし、出力が低下する等の支障を生じるのを防ぐことを目的とする。【解決手段】三重偏心バタフライ弁ＸとアクチュエータＹとの間に、合成樹脂製の中継コラムＺを介在させ、バタフライ弁の熱がアクチュエータに伝導するのを極力少なくする。この場合、三重偏心バタフライ弁とアクチュエータとには、中継コラムに接する部分にそれぞれ角型フランジ２３，４１を付設し、他方、中継コラムには角型フランジに接する部分に角型フランジに外接する突出部を設けておき、突出部内に角型フランジを嵌め込み、中継コラムを貫通するボルトで角型フランジ同士を緊締して一体とする。【選択図】      図３
2004150612.tif 000002
【特許請求の範囲】
【請求項１】
三重偏心バタフライ弁と、バタフライ弁を開閉させるためのアクチュエータとの間に中継コラムを介在させたバタフライ弁であって、上記三重偏心バタフライ弁は、円管状の弁本体内部に円板状の弁体を弁棒により回動可能に付設してなるバタフライ弁のうち、弁棒が弁体の中心から外れたところに位置し、バタフライ弁の全閉時に弁体外周が弁本体に接触する弁座面に対し、弁棒が弁座面を連ねる平面から外れたところに位置し、さらに上記弁座面が１つの斜円錐面に位置しているものであって、上記三重偏心バタフライ弁とアクチュエータとは、中継コラムとの接続用に角型フランジを備え、中継コラムは耐熱性合成樹脂で作られ、三重偏心バタフライ弁とアクチュエータに接する部分にそれぞれの角型フランジに外接する突出部を備えるとともに、内部にアクチュエータの駆動軸と三重偏心バタフライ弁の弁棒とを収容して接続状態に維持するための中心孔と、中心孔の周りに上記角型フランジ同士を接続するためのボルト孔とを備えており、ボルト孔に挿入したボルトにより一体に結合されてなるバタフライ弁。
【請求項２】
中継コラムが、中心孔の周りに中心孔と平行に延びる多数の空気孔を備えている、請求項１に記載のバタフライ弁。
【請求項３】
中継コラムが外面に、周囲方向又はこれと直交する方向に延びる放熱用フィンを複数条備えている、請求項１又は２に記載のバタフライ弁。
【請求項４】
中継コラムが変性ポリフェニレンエーテル、ポリアミド、ポリフェニレンサルファイド、又はフェノール樹脂で作られている、請求項１−３の何れか１つの項に記載のバタフライ弁。
【請求項５】
三重偏心バタフライ弁の弁棒が、アクチュエータの駆動軸に対して、軸方向に僅かに移動できる状態で接続されている、請求項１−４の何れか１つの項に記載のバタフライ弁。
【発明の詳細な説明】
【０００１】
【発明の属する技術分野】
この発明は、バタフライ弁に関するものであり、とくに三重偏心バタフライ弁に関するものである。詳述すれば、この発明は、アクチュエータを付設した三重偏心バタフライ弁に高温高圧の流体を流す場合、アクチュエータの出力低下を防ぐとともに、アクチュエータの付設を容易にしたバタフライ弁に関するものである。
【０００２】
【従来の技術】
バタフライ弁は公知である。バタフライ弁は円板状の弁体に弁棒を固定し、弁体から突出した弁棒の両端を円管状の弁本体の管壁に貫通させて、弁本体内に弁体を回動可能に付設したものである。バタフライ弁は、弁本体内で弁体を回動させて、弁本体内に形成されている流体の通路を開閉し、これによって弁本体内を流れる流体を調節するためのものである。
【０００３】
バタフライ弁に高温高圧の流体を流すときは、バタフライ弁として三重偏心バタフライ弁が使用される。三重偏心バタフライ弁とは、一次、二次及び三次の偏心をしたバタフライ弁である。一次の偏心とは、バタフライ弁が全閉時に弁本体と弁体とが接触するに至る弁座面を想定した場合、弁棒が弁座面を連ねる平面から外れたところに位置していることを指している。二次偏心とは、弁棒が弁体の中心から外れて、一方に片寄っていることを指している。また、三次偏心とは、上記の弁座面が１つの斜円錐面上にあって、その斜円錐は弁体の中心を通り弁棒に垂直な平面上に頂点を持っているが、その頂点は弁本体の中心軸上に存在しなくて、弁本体の内壁の延長上にあって、しかも弁板に対し弁棒と反対側にあることを指している。このような三重偏心バタフライ弁は、バタフライ弁の中でも特殊なものであるから、まずその構造を図面に基づきさらに詳しく説明する。
【０００４】
図１は、三重偏心をしたバタフライ弁の弁体の中心を通り、弁棒に垂直に切断した場合の断面図である。図１に示したバタフライ弁は円板状の弁板１に弁棒２をピン５によって固定して弁体とし、この弁体を弁本体３内に付設し、弁板１が弁棒２を中心として弁本体３内で回動可能としたものである。図１では示されていないが、弁棒２の両端は円管状の弁本体３の管壁を貫通している。弁本体３には弁棒が貫通するところに筒状部が設けられて、弁棒を気密に保持している。バタフライ弁は、弁板１を弁本体３内で回動させることにより、弁本体３内の流体通路４を開いたり閉じたりする。
【０００５】
弁板１が流体通路４を閉じたとき、流体通路４が確実に閉ざされるようにするために、弁本体３にはシートリング６が付設されている。シートリング６は、リングの外側部分を弁本体３の中に埋設し、リングの内側部分を弁本体３から突出させた状態として、シート押さえ７により弁本体３に固定され、弁本体３の一部を構成している。こうして付設されたシートリング６は、内側に向く先端を弁板１の外周面に密接させて弁座面を形成することとなる。
【０００６】
上述のように、弁板１の外周面がシートリング６の先端に密接して形成される環状の密接面が、バタフライ弁の弁座面８である。弁座面８は、云いかえると、バタフライ弁の全閉時に弁板１が弁本体３と密接するに至る面である。図１に示したバタフライ弁では、上述の弁座面８を基準とした場合、弁棒２が弁座面８を連ねる平面上になくて、この平面から距離Ｐだけ外れたところに位置している。従って、このバタフライ弁は一次偏心をしていることになる。
【０００７】
また、図１に示したバタフライ弁では、弁棒２が弁板１の中心、云いかえると、弁本体３の中心軸９を通らず、弁板１の中心から外れたところに固定されている。すなわち、弁棒２は、弁本体３の中心軸９から距離Ｑだけ離れたところに位置している。このため、このバタフライ弁は二次偏心していることになる。
【０００８】
さらに、図１に示したバタフライ弁では、切断面上に現れている弁座面８が、図の上部では弁本体３の中心軸９と平行な点線１０に沿って延びているが、図の下部では中心軸９に対して斜めに向かう左上りの点線１１に沿って延びている。図１に示したバタフライ弁では、弁座面８は、点線１０と１１との交点を頂点１２とする斜円錐の面上にある。このように、図１に示したバタフライ弁では、弁座面８が、弁座面８を連ねる平面を基準として、弁棒２と反対側に頂点１２を持つ１つの斜円錐面上にあり、従って、三次偏心をしていることになる。なお、円錐面の頂角は通常２０度程度とすることが好ましい。
【０００９】
三重偏心バタフライ弁は、上述のように一次から三次までの偏心をしているから、弁体を回動させるのに大きな駆動力が必要とされる。このためにアクチュエータが付設される。アクチュエータは、高温に曝されると、種々の支障を起こす。例えば、アクチュエータは、一般にその作動を円滑にするために内部に潤滑油が付与されているところ、アクチュエータが高温に曝されると、潤滑油が硬化、劣化して、アクチュエータは出力を低下させることとなる。また、アクチュエータが高温に曝されると潤滑油の粘度が低下するため、潤滑油が外へ漏洩し易くなる。また、空気圧シリンダアクチュエータでは、ピストン摺動部にパッキンが用いられているため、高温になると劣化して作動不良を起こす。ウォーム式手動アクチュエータでは、高温のためハンドルを手で操作することが困難となる。これらのことは、弁体の開閉を頻繁に行う弁においてとくに顕著である。従って、アクチュエータは温度が上昇することを極力避けなければならない。
【００１０】
ところが、バタフライ弁のうちでも三重偏心バタフライ弁は、一般に高温高圧の流体を流すのに用いられる。例えば５００℃以上の高温で、２．０メガパスカル以上の高圧の流体を流すのに用いられる。そのため、三重偏心バタフライ弁は、それ自体が高温となる。従って、三重偏心バタフライ弁を開閉させるために、これに付設されたアクチュエータも三重偏心バタフライ弁からの熱伝導により高温となり、このために潤滑不良を起こして、出力を低下させることになる。そこで、アクチュエータは三重偏心バタフライ弁からの熱伝導を極力少なくする必要がある。
【００１１】
【発明が解決しようとする課題】
この発明は、上述の必要に応じて生れたものである。すなわち、この発明は、高温高圧の流体を流している三重偏心バタフライ弁にアクチュエータを付設した場合、アクチュエータがバタフライ弁からの熱を受けて潤滑不良を起こし、出力が低下するのを防ぐことを目的としてなされたものである。
【００１２】
【課題解決のための手段】
この発明者は、上記目的を達成するために、三重偏心バタフライ弁とアクチュエータとの間に、合成樹脂製の中継コラムを付設し、バタフライ弁の熱がアクチュエータに伝導することを極力少なくしようとした。
【００１３】
ところが、三重偏心バタフライ弁は、弁体が偏心しているために、これを回動させるのに、とくに大きな回動力が必要とされる。そのために、三重偏心バタフライ弁とアクチュエータとの間に中継コラムを介在させると、三重偏心バタフライ弁と中継コラムとの間及び中継コラムとアクチュエータの間でズレを生じて弁体を円滑に回動させることが困難となる。これを避けるために、三重偏心バタフライ弁と中継コラムの間、及び中継コラムとアクチュエータの間を別々のボルトで緊締することが考えられるが、このようにすると、緊締に手数がかかるだけでなく、却って中継コラム内で捩れを生じて三重偏心バタフライ弁とアクチュエータとの間のズレを大きくするおそれがある。そこで、その代わりに中継コラムを貫通するボルトを用いて三重偏心バタフライ弁とアクチュエータとの間を緊締するようにすると、緊締の手数は省かれるが、アクチュエータの作動時にボルトが中継コラム内で傾くこととなるから、矢張り三重偏心バタフライ弁とアクチュエータとの間でズレを生じることとなる。そこでこのズレを防ぐことが必要となった。
【００１４】
この発明者は、上述のズレを防ぐには、三重偏心バタフライ弁の中継コラムに接する部分に角型フランジを用い、他方、三重偏心バタフライ弁に接する中継コラムの面の外周には、角型フランジに外接する突出部を設けておき、接続にあたっては角型フランジを中継コラムの突出部内に嵌め込んでボルトで緊締するのが、有効なことを見出した。また、同様にアクチュエータの中継コラムに接する部分にも角型フランジを用い、他方、アクチュエータに接する中継コラムの外周にも角型フランジに外接する突出部を設けておき、角型フランジを突出部内に嵌め込んでボルトで結合するのが有効であることを見出した。この発明は、このような知見に基づいて完成されたものである。
【００１５】
この発明は、三重偏心バタフライ弁と、バタフライ弁を開閉させるためのアクチュエータとの間に中継コラムを介在させたバタフライ弁であって、上記三重偏心バタフライ弁は円管状の弁本体内部に円板状の弁体を弁棒により回動可能に付設してなるバタフライ弁のうち、弁棒が弁体の中心から外れたところに位置し、バタフライ弁の全閉時に弁体外周が弁本体に接触する弁座面に対し、弁棒が弁座面を連ねる平面から外れたところに位置し、さらに上記弁座面が１つの斜円錐面に位置しているものであって、上記三重偏心バタフライ弁とアクチュエータとは、中継コラムとの接続用に角型フランジを備え、中継コラムは耐熱性合成樹脂で作られ、三重偏心バタフライ弁とアクチュエータに接する部分にそれぞれの角型フランジに外接する突出部を備えるとともに、内部にアクチュエータの駆動軸と三重偏心バタフライ弁の弁棒とを収容して接続状態に維持するための中心孔と、中心孔の周りに上記角型フランジ同士を接続するためのボルト孔とを備えており、ボルト孔に挿入したボルトにより一体に結合されてなるバタフライ弁を提供するものである。
【００１６】
この発明では、三重偏心バタフライ弁もアクチュエータも、何れも中継コラムとの接続用に角型フランジを備えていることが必要とされる。角型フランジとしてはかどの丸められた正方形のフランジを用いることが好ましい。
【００１７】
また、この発明では、三重偏心バタフライ弁とアクチュエータとの間には、中継コラムを介在させることが必要とされる。そのため、中継コラムの上面と下面とは互いに平行に向いている。この上面と下面とは、それぞれアクチュエータの角型フランジと三重偏心バタフライ弁の角型フランジとに接続するに好都合な状態とされる。
【００１８】
すなわち、中継コラムの上面には、その外周にアクチュエータの角型フランジの外周を包囲して、角型フランジを嵌入させるような突出部を形成する。その突出部は、角型フランジの外周全体を包囲することが好ましいが、部分的に包囲するだけでもよい。部分的に包囲するときは、角型フランジの対向する部分、とくに角型フランジの対向するかど部分又は互いに平行な四辺の一部を突出させることが好ましい。また、中継コラムの下面にも同様に、三重偏心バタフライ弁の角型フランジの外周を包囲する突出部を形成する。
【００１９】
中継コラムは、その内部の中心軸位置に軸方向に貫通する中心孔を備え、中心孔の周りに中心孔と平行に延びて貫通する複数個のボルト孔とを備えている。中心孔は、三重偏心バタフライ弁の弁棒と、アクチュエータの駆動軸とを収容して、弁棒と駆動軸とを接続した状態に保つためのものである。また、ボルト孔は、三重偏心バタフライ弁とアクチュエータとを結合するためのボルトを挿通するためのものである。ボルト孔は角型フランジのかど部に設けることが好ましい。
【００２０】
中継コラムは耐熱性合成樹脂で作られる。合成樹脂としては変性ポリフェニレンエーテル、ポリアミド、ポリフェニレンサルファイド、フェノール樹脂等を用いることができる。また、これにガラス繊維や炭素繊維を含ませた繊維補強樹脂を用いることもできる。
【００２１】
中継コラムは、その内部に中心孔とボルト孔以外に空気孔を含んでいることが好ましい。空気孔は中継コラム内に熱が伝導され、熱が蓄積しないようにするためのものである。中心孔とボルト孔とは、その横断面が円形とされるが空気孔はその横断面が任意の形状とされる。すなわち空気孔の横断面は円形でも三角形でも多角形でもよい。空気孔は中心孔と同様に中継コラム内を貫通していてもよいが、また途中で遮断されていてもよい。
【００２２】
また、中継コラムはその外面に放熱用フィンを備えていることが好ましい。放熱用フィンは、中継コラムの外面上に上面から下面に延びる数条のリブであってもよいが、また上面及び下面と平行に周囲方向に延びる突条であってもよい。
【００２３】
【発明実施の形態】
この発明を実施の一例につき図面に基づいて説明すると、次のとおりである。図２は、この発明に係るバタフライ弁の縦断面図である。図３は、図２に示したこの発明に係るバタフライ弁の一部拡大図である。図４は、この発明において用いることのできる中継コラムを示し、そのうちの（ａ）は右半部が側面図、左半部が（ｂ）図中のａ−ａ線断面図であり、（ｂ）は平面図である。
【００２４】
図２に示したバタフライ弁は、三重偏心バタフライ弁Ｘと、アクチュエータＹとの間に、中継コラムＺが介在している。三重偏心バタフライ弁Ｘは、突出している弁棒２の周りに角型フランジ２３を備えている。角型フランジ２３は、三重偏心バタフライ弁Ｘを中継コラムＺに接続するためのものである。また、アクチュエータＹは駆動軸４２の周りに角型フランジ４１を備えている。角型フランジ４１はアクチュエータＹを中継コラムＺに接続するためのものである。
【００２５】
図２に示したバタフライ弁は、弁棒２が点線で区切られた弁座面８を連ねる平面から外れたところに位置して、弁板１にピン５によって固定されて一次偏心している。また、図２に示したバタフライ弁は、図１に示したバタフライ弁と同様に、弁棒２が弁本体３の中心軸９から外れたところに位置して二次偏心している。さらに、弁座面８は斜円錐の面上にあって、斜円錐の頂点は、中心軸９を通り紙面に垂直な平面上に位置しているが、中心軸９から外れたところに位置していて、三次偏心している。なお、図２のシートリング６は、図１のシートリング６と同様に構成されていて、同様な作用をするものである。
【００２６】
図２に示されたバタフライ弁では、弁本体３の上下両側に、弁棒２を収容する筒状部１３が設けられている。筒状部１３の内部には弁棒２との間に弁の内側から順に軸受け１４、ばね１５、ばね受け１６、グランドパッキン１７、ランタンリング１８、グランドパッキン１９が充填され、その外側にパッキン押さえ２０がボルト２１により固定されている。
【００２７】
筒状部１３の中の軸受け１４は、図３に拡大して示したように、小径部１４１と、大径部１４２とを備え、その間に段部１４３を備えている。軸受け１４は、大径部１４２を筒状部１３内に残し、小径部１４１を筒状部１３から突出させている。また、軸受け１４は、大径部１４２の端をばね１５により押されて、小径部１４１が筒状部１３から突出する方向に付勢されている。しかし、小径部１４１の先には弁体ボス部の平坦面１００が存在するので、軸受け１４は平坦面１００に衝突してそれ以上突出することが抑止される。こうして、軸受け１４は、ばねにより弁体ボス部の平坦面１００に常に圧接されている。
【００２８】
他方、弁本体側では筒状部１３が、内側端に小径部１４１を通過させるだけの開口を備え、続いてその外側に大径部１４２を通過させるだけの孔を備えており、その間には段差１３５を備えていて、軸受け１４と嵌合している。小径部１４１を通過させるだけの開口は奥行が小さく、小径部１４１の軸方向の長さよりも小さくされている。このため、段差１３５は軸受け１４の段部１４３との間に常に隙間２２を形成している。このために、弁板１を挟んで上下に付設されている２つの軸受け１４は弁板１を挟んだまま、常に上下に移動できることとなっている。
【００２９】
軸受け１４を押すためのばね１５は、コイルばねであってもよいが、皿ばねであることが好ましい。ばね１５は、隙間２２が存在するために軸受け１４を常に弁板１のボス部平坦面１００に向かって押しつけるとともに、前述のように弁板１を挟んだまま軸受け１４が筒状部から出入り可能にしている。ばね１５とグランドパッキン１７との間には、ばね受け１６が付設されている。
【００３０】
三重偏心バタフライ弁の弁座面８は、斜円錐面上にあるため、弁本体の中心軸９方向から見ると、楕円形を呈している。このため、弁板１は、これを一定の位置で回動しただけでは、弁座面８に密接させることができない。ところが、この発明では上述のように、弁板１から突出する２本の弁棒２をそれぞれ軸受け１４によって回動可能に支持し、各軸受け１４をばねに抗して移動させて、弁板１を弁棒２の延びる方向へ移動可能としたので、閉弁時に弁板１を弁棒２の延びる方向へ移動させて自動調心させることができる。このために弁座面が複雑な形状を呈していても、確実に弁座面を弁体により閉じることができる。
【００３１】
図２及び図３に示したバタフライ弁で用いられている中継コラムＺは、図４に示したような構造のものである。中継コラムＺは、直方体の直交する稜線部分が丸められた形状のものである。上面にはアクチュエータＹの角型フランジ４１を丁度嵌入させるだけの窪み３４を備えている。この窪み３４は中継コラムＺが、外周にフランジ４１に外接する突出部３５を備えた結果、形成されたものと見ることもできる。また、中継コラムＺは、同様に下面に突出部３７が設けられた結果、三重偏心バタフライ弁Ｘの角型フランジ２３を丁度嵌合させるだけの窪み３６を備えている。
【００３２】
中継コラムＺは、内部の中心軸位置に中心孔３１を備えている。中心孔３１はアクチュエータＹの駆動軸４２と三重偏心バタフライ弁Ｘの弁棒２の一方又は両方を通すためのもので、中継コラムＺの上面から下面まで貫通している。また、中心孔３１は、弁棒２が駆動軸４２に常に接続されていて、しかも弁棒２が駆動軸４２に対して極めて僅かに軸方向に移動できるように、弁棒２と駆動軸４２とを保持している。
【００３３】
また中継コラムＺは、中心孔３１の周りに、とくに角型フランジのボルト孔のある位置に、ボルト孔３２を備えている。ボルト孔３２は、中心孔３１と平行に延び、上面から下面へ貫通している。
【００３４】
そのほか、中継コラムＺは内部に多数の空気孔３３を備えている。空気孔３３は、横断面が円形であってもよいが、任意の形状とすることができる。例えば図４の（ｂ）に示したように、横断面形状を矩形、五角形などとすることができる。空気孔３３は、中継コラムの上面又は下面で開口していることが必要であるが、途中では遮断されていてもよい。
【００３５】
また、中継コラムＺは、図４に示したように周囲方向に延びる放熱用フィン３８を備えている。
【００３６】
この発明に係るバタフライ弁は、中継コラムＺをアクチュエータＹと三重偏心バタフライ弁Ｘとの間に挟んで、弁棒２と駆動軸４２とを軸方向にだけ僅かに移動可能とした状態で接続し、角型フランジ２３側から取付ボルトをボルト孔３２に通して、アクチュエータＹの角型フランジ４１に固定する。この発明に係るバタフライ弁は、こうして三重偏心バタフライ弁Ｘと、中継コラムＺと、アクチュエータＹとを一体にして構成される。
【００３７】
【発明の効果】
この発明によれば、三重偏心バタフライ弁と、これを開閉させるためのアクチュエータとの間に中継コラムを介在させ、しかも中継コラムが耐熱性の合成樹脂で作られているので、三重偏心バタフライ弁に高温の流体を流しても、合成樹脂製の中継コラムが熱の伝導を妨げるために、熱がアクチュエータに伝えられず、従ってアクチュエータに用いられている弾性材料の劣化と、潤滑油の硬化とが防がれ、アクチュエータが出力を低下させるのを防ぐことができる。
【００３８】
また、三重偏心バタフライ弁とアクチュエータとは、取付用フランジとして角型フランジを備え、他方、中継コラムは三重偏心バタフライ弁とアクチュエータに接する部分に、それぞれ角型フランジに外接する突出部を備えることとしたので、中継コラムを間に挟んで三重偏心バタフライ弁とアクチュエータとを重ねると、中継コラムは三重偏心バタフライ弁の角型フランジを嵌入させるとともに、アクチュエータの角型フランジを嵌入させるので、これらは何れもズレのない状態とすることができる。また中継コラムは、これら角型フランジ同士を接続するための貫通するボルト孔を備えているので、ボルト孔にボルトを挿入して緊締することにより、ズレのない状態で容易にこれらを一体にすることができる。
【００３９】
また、中継コラムが、中心孔の周りにさらに中心孔と平行に延びる多数の空気孔を備えているときは、空気孔により中継コラム内での伝熱が妨げられて、アクチュエータの温度上昇を抑制することができる。また、空気孔により中継コラムの重量が減少するので、中継コラムの取扱いが容易となる。
【００４０】
また、中継コラムが外面に周囲方向又はこれを直交する方向に延びる放熱用フィンを複数条備えているときは、中継コラムに伝達された熱が放熱用フィンから放散されるので、それだけ中継コラムの温度上昇が抑制され、従って、アクチュエータの出力低下が防がれる。
【００４１】
さらに、中継コラムの存在により三重偏心バタフライ弁の弁棒が、アクチュエータの駆動軸に対して僅かに軸方向にだけ移動可能とすることにより、バタフライ弁の全閉時に弁棒を僅かに軸方向に移動させて弁体外周を弁座面に確実に密接させることができる。こうして全閉状態を確実に現出させることができる。この発明は、このような利益を与えるものである。
【図面の簡単な説明】
【図１】三重偏心バタフライ弁の構造を説明するための横断面図である。
【図２】この発明に係るバタフライ弁の縦断面図である。
【図３】図２に示したこの発明に係るバタフライ弁の一部拡大図である。
【図４】この発明において用いることのできる中継コラムを示し、そのうち（ａ）は右半部が側面図、左半部が断面図であり、（ｂ）は平面図である。
【符号の説明】
Ｘ                        三重偏心バタフライ弁
Ｙ                        アクチュエータ
Ｚ                        中継コラム
１                        弁板
２                        弁棒
３                        弁本体
４                        流体通路
５                        ピン
６                        シートリング
７                        シート押さえ
８                        弁座面
９                        弁本体３の中心軸
１０、１１                点線
１２                      頂点
１３                      筒状部
１４                      軸受け
１５                      ばね
１６                      ばね受け
１７、１９                グランドパッキン
１８                      ランタンリング
２０                      パッキン押さえ
２１                      ボルト
２２                      隙間
２３、４１                角型フランジ
３１                      中心孔
３２                      ボルト孔
３３                      空気孔
３４、３６                窪み
３５、３７                突出部
３８                      放熱用フィン
４２                      駆動軸
１００                    平坦面
１３５                    段差
１４１                    小径部
１４２                    大径部
１４３                    段部
【図１】
2004150612.tif 000003
【図２】
2004150612.tif 000004
【図３】
2004150612.tif 000005
【図４】
2004150612.tif 000006